(57)【要約】 【課題】  おしゃぶりのが床に落ちた時に乳首が汚れないようなおしゃぶりを提供する【解決手段】  本発明のおしゃぶりは、乳首と、保護キャップと、前記乳首を前記保護キャップに連結する連結機構とを有する。前記連結機構は、弾性要素を有する。前記弾性要素に力がかからない状態においては、前記乳首は、前記保護キャップにより、保護キャップが外形の面に接触することを阻止される。前記弾性要素に力がかかった状態においては前記乳首が、前記面から飛び出し、おしゃぶりを幼児がしゃぶることができる。【選択図】  図１
2010516377.tif 000002
【特許請求の範囲】
【請求項１】
（Ａ）乳首と、
（Ｂ）保護キャップと、
（Ｃ）前記乳首を前記保護キャップに連結する連結機構と、
を有し、
前記連結機構は、弾性要素を有し、
前記弾性要素に力がかからない状態においては、前記乳首は、前記保護キャップにより、面に接触しによう、保護され、
前記弾性要素に力がかかった状態においては、前記乳首が、前記面から飛び出し、おしゃぶりを幼児がしゃぶることができる、
ことを特徴とするおしゃぶり。
【請求項２】
前記連結機構（Ｃ）は、
（Ｃ１）シリンダと、
（Ｃ２）前記シリンダのボア内に適合しスライドするプラグと、
（Ｃ３）前記プラグを前記シリンダの開口に保持するスプリングと、
を有し、
前記乳首が前記プラグに連結される
ことを特徴とする請求項１記載のおしゃぶり。
【請求項３】
前記弾性要素は、スプリングである
ことを特徴とする請求項１記載のおしゃぶり。
【請求項４】
前記弾性要素は、ベローズである
ことを特徴とする請求項１記載のおしゃぶり。
【請求項５】
前記弾性要素は、弾性体である
ことを特徴とする請求項１記載のおしゃぶり。
【請求項６】
前記保護キャップは、開口を有し、
前記開口を介して幼児のよだれが出る
ことを特徴とする請求項１記載のおしゃぶり。
【請求項７】
前記乳首は、細長い形状を有する
ことを特徴とする請求項１記載のおしゃぶり。
【発明の詳細な説明】
【技術分野】
【０００１】
本発明は、幼児用のおしゃぶりに関する。
【背景技術】
【０００２】
おしゃぶりは、北米では英語で"pacifier"、イギリス、ニュージーランド、オーストラリアでは"dummy"、カナダ、アイルランドでは"soother"と称し、幼児に与えるゴム製またはプラスチック製の乳首である。
【０００３】
おしゃぶりを使用する際の１つの問題点は、おしゃぶりが幼児の口から離れた時に、おしゃぶりが床に落ちて汚れ、おしゃぶりを十分に洗う必要がある点である。
【０００４】
この問題に対する公知の解決方法は、おしゃぶりを幼児の服に取り付けるリボンを使用することである。リボンは、幼児の服にクリップで取り付けられる。これによりおしゃぶりが幼児の口から離れた時に、床に落ちるのを防止する。
【０００５】
一般的に、おしゃぶりのクリップは、プラスチックの裏面に糊付けされたピンチ・クリップからなる。リボンが幼児の服から外れるということは、幼児を安全に保護するが小さな力でリボンが服から外れることにより、おしゃぶりが床に頻繁に落ちることになる。
【０００６】
更にリボンが幼児の顔に接触すると、幼児の顔に引っ掻き傷を付けてしまう。
【発明の概要】
【発明が解決しようとする課題】
【０００７】
本発明の目的は、おしゃぶりが床に落ちた時に、おしゃぶりの乳首が汚れないようなおしゃぶりを提供することである。
【課題を解決するための手段】
【０００８】
本発明の一態様によれば、本発明のおしゃぶりは、
（Ａ）乳首１６と、
（Ｂ）保護キャップ８と、
（Ｃ）前記乳首１６を前記保護キャップ８に連結する連結機構６と、
を有し、
前記連結機構は、弾性要素を有し、前記弾性要素に力がかからない状態においては、前記乳首は、前記保護キャップにより、面に接触しないよう保護され、前記弾性要素に力がかかった状態においては、前記乳首が、前記面から飛び出し、おしゃぶりを幼児がしゃぶることができる。
【０００９】
前記連結機構（Ｃ）の一実施例は、
（Ｃ１）シリンダ１８と、
（Ｃ２）前記シリンダ１８のボア内に適合しスライドするプラグ４４と、
（Ｃ３）前記プラグ４４を前記シリンダ１８の開口に保持するスプリング４０と、
を有し、前記乳首１６が前記プラグ４４に連結される。
【００１０】
前記弾性要素は、スプリング、ベローズ、弾性体である。
【００１１】
前記保護キャップは、開口を有し、前記開口を介して幼児のよだれが出る。
【００１２】
前記乳首は、細長い形状を有する。
【図面の簡単な説明】
【００１３】
【図１】本発明の一実施例のおしゃぶりの斜視図。
【図２】図１のおしゃぶりの構成要素の展開図。
【図３】図１のおしゃぶりの使用状態を表す断面図。
【図４】図１のおしゃぶりの不使用状態を表す断面図。
【図５】本発明の他の実施例のおしゃぶりの斜視図。
【図６】図５のおしゃぶりの構成要素の展開図。
【図７】図５のスプリングのアイドルの状態を表すの断面図。
【図８】図５のスプリングのノンーアイドル状態を表す断面図。
【図９】図１−４に示すおしゃぶりをくわえている幼児を表す図。
【発明を実施するための形態】
【００１４】
本発明のおしゃぶりは、乳首と保護キャップとからなる。乳首は、保護キャップに接続機構を介して連結される。連結機構は、乳首をキャップに連結する役目に加えて、次の２つの状態を有する：
（Ｘ）乳首の不使用状態、この状態においては、乳首全体が面に接触しないよう保護キャップで保護されている。
（Ｙ）乳首の使用状態、この状態においては、乳首の一部が面から立ち上がり、それを幼児がしゃぶることができる。
【００１５】
スプリング機構は、２つの状態を有する。アイドル状態（力がスプリングにかかっていない状態）と、ノンーアイドル状態（力がスプリングにかかっている状態）である。力がスプリング機構にかからないと、スプリング機構はアイドル状態になる。
【００１６】
好ましくは、連結機構は、弾性機構であり、これにより乳首をしゃぶる時には、保護キャップで保護されている空間から、乳首が押し出されたり引き出されたりする。おしゃぶりが幼児の口から離れて床に落ちた場合には、連結機構は、おしゃぶりが床に達する前に、乳首を不使用状態にする。不使用状態においては、乳首は、床と接触しないよう、保護される。保護キャップ内に入る。
【００１７】
図１−４において、乳首１６は、連結機構により保護キャップ１８に連結される。
【００１８】
本発明の連結機構が、従来技術と異なる点は、本発明の連結機構は、弾性要素を有し、これにより、乳首の不使用状態と使用状態を提供する点である。
【００１９】
図１−４の弾性要素は、ベローズ６である。このベローズ６は、円筒形状、又は円錐形状等を採る。
【００２０】
乳首１６はカップリング２０に連結される。カップリング２０は、ベローズ６に連結される。ベローズ６は保護キャップ８に連結される。かくして、ベローズ６は、乳首１６と保護キャップ８とを連結するよう、結合される。
【００２１】
乳首の不使用状態においては、ベローズ６は折り畳まれていないが、乳首１６は、全体が面５０（例えば、床面）に接触しないよう、保護されている。乳首の使用状態においては、ベローズ６は、折り畳まれており、乳首１６は、面５０から飛び出し、幼児の口の中に挿入される。
【００２２】
更に、図１−４のおしゃぶりは、ハンドル１０を有する。このハンドル１０は、カップリング２０に連結リング１２により連結される。
【００２３】
一般的には、ピストンは、シリンダのボアの内側に適合するスライドするプラグである。図５−８に示す実施例は、ピストンとの類似性を有する。
【００２４】
この実施例において、プラグ４４は、シリンダ１８内をスライドするスライド・プラグに類似する。スプリング４０は、シリンダ１８内の「上部」開口に、プラグ４４を強固に押し付ける。乳首１６は、プラグ４４のエッジとシリンダ１８のエッジとの間に、配置される。部材４２は、乳首１６を不使用状態（図７）から使用状態（図８）に押し込むロッドとして使用される。シリンダ１８は、保護キャップ８に、ねじ（図示せず）、カシメ等により、連結される。
【００２５】
幼児が乳首１６をしゃぶらなくなった時に、乳首１６は、スプリング４０の力により不使用状態（図７）に戻る。この状態においては、乳首１６は、面５０内に入る。
【００２６】
スプリングは、本発明では、アイドル状態とノンーアイドル状態を生成する弾性要素である。上記したように、スプリングは２つの状態を有する。すなわち、アイドル状態とノンーアイドル状態を有する。しかし、ノンーアイドル状態は２つの状態を有する。スプリングが、引き出し力により細長くなっている状態と、スプリングが圧縮力により短くなっている状態である。
【００２７】
図５−８に示す実施例においては、スプリングにかかる力は、スプリングを短くする。しかし当業者は、連結機構は、引っ張り力をかけるよう設計することもできる。更に、弾性体を、弾性要素に用いることもできる。
【００２８】
図９に示すように、保護キャップは必ずしも閉じた形態ではない。開口１４を形成し、幼児のよだれ（唾液）が落ちるようにすることができ、幼児の顔の炎症の発生を阻止できる。
【００２９】
おしゃぶりの乳首の形状は、円形あるいは細長くても良い。
【００３０】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【符号の説明】
【００３１】
２  おしゃぶり
６  ベローズ
８  保護キャップ
１０  ハンドル
１２  連結リング（ハンドル１０をベローズ６に連結する）
１４  開口（キャップ８内の中空部）
１６  乳首
１８  シリンダ
２０  カップリング
２２  小リング（ベローズ６をキャップ８に固定する）
２４  大リング（乳首１６をカップリング２０に固定する）
４０  スプリング
４２  部材（乳首１６を不使用状態から使用状態に押す）
４４  プラグ（シリンダ１８内をスライドする）
５０  面
【図１】
2010516377.tif 000003
【図２】
2010516377.tif 000004
【図３】
2010516377.tif 000005
【図４】
2010516377.tif 000006
【図５】
2010516377.tif 000007
【図６】
2010516377.tif 000008
【図７】
2010516377.tif 000009
【図８】
2010516377.tif 000010
【図９】
2010516377.tif 000011
【国際調査報告】
2010516377.tif 000012
2010516377.tif 000013